(57)【要約】【課題】建物のA、Bの床間に設けられたクリアランスCにエキスパンション・ジョイントを設け、該エキスパンション・ジョイントは地震等の一時変形に対して簡単な機構でスムーズに追従可動でき、また、地震の後や、不等沈下等の経年変化による少量のクリアランスCの変動には、化粧縁材と化粧カバープレートの召し合わせ部分で調整可能なエキスパンションジョイントを得る。                          【解決手段】互いに対向する建物A、B間に設定されたクリアランスCを覆うため床面縁部にそれぞれ設けられた化粧縁材３、４を有し、該化粧縁材３、４に担持または載置されたクリアランスCを覆う化粧カバープレート５を設け、該化粧縁材３，４と化粧カバープレート５の召し合わせ部１８は互いに斜め断面形状を有して当接あるいは対向しており、前記クリアランスCが地震等により一時的に大きく収縮すると化粧カバープレート５の斜め断面形状部の召し合わせ部が化粧縁材３の斜め断面形状部に当接して摺動し化粧カバープレート５を上部に押し上げ地震等による急激な一時変形に追従可能で、該地震の後や経年変化による少量のクリアランスCの変動に対しては伸縮自在なスプリング１７を介して前記化粧縁材３，４間の幅を可変可能に構成して前記化粧カバープレートの破損を防止する。【選択図】図２
2005048491.tif 000002
【特許請求の範囲】
【請求項１】
互いに対向する建物A、B間に設定されたクリアランスCを覆うため床面縁部にそれぞれ設けられた化粧縁材を有し、
該化粧縁材に担持または載置されたクリアランスCを覆う化粧カバープレートを設け、
該化粧縁材と化粧カバープレートの可動召し合わせ部は互いに斜め断面形状を有して当接あるいは対向しており、
前記クリアランスCが地震等により一時的に大きく収縮すると化粧カバープレートの斜め断面形状部の召し合わせ部が化粧縁材の斜め断面形状部に当接して摺動し化粧カバープレートを上部に押し上げ地震等による急激な一時変形に追従可能で、
該地震の後や経年変化による少量のクリアランスCの変動に対しては伸縮自在なスプリングを介して伸縮自在に構成した化粧カバープレート先端部を介在せしめ、該化粧カバープレートの先端部の伸縮により前記化粧縁材間の幅を可変可能に構成して前記化粧カバープレートの破損を防止することを特徴とするなエキスパンション・ジョイント。
【請求項２】
互いに対向する建物A、B間に設定されたクリアランスCを覆うため床面縁部にそれぞれ設けられた化粧縁材を有し、
該化粧縁材に担持または載置されたクリアランスCを覆う化粧カバーを設け、
該化粧縁材と化粧カバープレートの召し合わせ部は互いに斜め断面形状を有して当接しており、
前記クリアランスCが地震等により一時的に収縮すると化粧カバープレートの斜め断面形状部の召し合わせ部は化粧縁材の斜め断面形状部に当接して摺動し化粧カバープレートを上部に押し上げ地震等による急激な一時変形に追従可能なエキスパンション・ジョイントに於いて、
前記化粧カバープレートの斜め断面形状部は化粧カバープレート本体と分割された部品となし、該斜め断面形状部材は化粧カバープレート本体に対してスプリング等の伸縮部材を介して伸縮自在に取り付けられており、地震の後や経年変化に依る少量のクリアランスCの変動には前記スプリング等の伸縮により対応することを特徴とするエキスパンション・ジョイントに於ける召し合わせ部の可動調整機構。
【発明の詳細な説明】
【技術分野】
【０００１】
本発明は、簡単な構成を有するクリアランスの大きいエキスパンション・ジョイントに関するもので、該エキスパンション・ジョイントは地震等の大きな一時変形に追従可動でき、また、本発明のエキスパンション・ジョイントは、化粧縁材と化粧カバープレートの召し合わせ部分に地震の後や経年変化による少量のクリアランスの変動に対応できる可動調整機構を有するものである。
【背景技術】
【０００２】
建築用エキスパンション・ジョイントは、建物にかかる外力等の変動要因から発生する応力の伝達を分断するために設けられた分割ラインのことであり、隣接して建てられた左右の建物同士の激突を防ぐために設けられたクリアランスC（間隙）を建物の揺れ動きに追従可動する化粧カバーで塞ぎ、左右の建物を接続、一体化して使用出来るようにするジョイント部材のことである。
【０００３】
従って、エキスパンション・ジョイントは、その取付部位により名称が、外壁用、床用、天井用、屋根用、内壁用といったように異なり、その形状もそれぞれ取付部位により特性を有して異なっているが、概略すると、地震等によるクリアランスCの変化に追従する化粧縁材と化粧カバープレートから構成されている。
【０００４】
従来のエキスパンション・ジョイント部分に取付られる化粧カバープレートは、地震等の一時変形や、不同沈下等の永久変形によるクリアランスCの変化の想定が比較的小さいこともあり、化粧カバープレートを支持するために設けられた両端の化粧縁材間に嵌合、装架されている構成のものが多い。
【０００５】
この従来型エキスパンション・ジョイントの化粧カバープレートの両端は、化粧縁材により化粧カバープレート両端部が挟持されており、該化粧縁材内に化粧カバープレートの伸張部分が格納されていてクリアランスCの伸張に対応可能で、また、クリアランスCの収縮にも対応出来るよう前記化粧縁材内に逃げの隙間を有する構成を設けており、該化粧縁材間で地震等による一時的なクリアランスCの変化に追従可動している。
【０００６】
而して、近年は建物の大型化や高層化、そして免震構造の建物が多く建てられるようになってきたことにより、建物間のクリアランスCが、従来の５０mmから３００mm程度であったものが、８００mmから１６００mmと大きくなり、地震等の一時変形では、その可動量も±800mmにも追従出来る免震建物用エキスパンション・ジョイントが多く用いられる様になってきた。
【０００７】
上述の傾向の中で、特にクリアランスCの大きい免震用等のエキスパンション・ジョイントにあっては、従来のエキスパンション・ジョイントの如く、化粧カバープレートの両端を前記化粧縁材内にのみ込み、伸張部分が重複して格納されており、且つ収縮にも対応出来るよう化粧縁材内に逃げの隙間を有する構成を設けて、該化粧縁材間で地震等によるクリアランスCの変化に追従しているだけの構成では、地震等に於ける大きな一時変形には、追従可動が出来なくなってきており、簡単な機構で可動量の大きいエキスパンション・ジョイントの具現が求められている。
【０００８】
また、床用エキスパンション・ジョイントに於いては、踏みしめた時の感触がいかにも薄板状の不安定な化粧カバープレートではなく、質感があり、建物本体部分を歩いているような感覚を得るために他の床面と同様に、石材またはタイル等を敷き詰めた化粧カバープレートが要求されており、当然のことながら化粧カバープレートの厚みは大きく、重量が重い物となる。
【０００９】
従って、前記大重量の化粧カバープレートをしっかりと持設する安全構成のエキスパンション・ジョイントと、地震等の一時変形に対して、化粧カバープレートをスムーズに動かして揺れに追従可動できると共に、地震の後や経年変化に依る少量のクリアランスCの変動にも、召し合わせ部の可動調整機構にて調整できる機能を備えたエキスパンション・ジョイントの具現が要望されいる。
【発明の開示】
【発明が解決しようとする課題】
【００１０】
本発明が、解決しようとする課題を、特に幅広のクリアランスCを覆う床用エキスパンション・ジョイントを例に説明する。
【００１１】
本発明は、建物のA、Bの床間に設けられたクリアランスCにエキスパンション・ジョイントを設け、該エキスパンション・ジョイントは地震等の一時変形に対して簡単な機構でスムーズに追従可動でき、また、地震の後や、不等沈下等の経年変化による少量のクリアランスCの変動にも化粧縁材と化粧カバープレートの召し合わせ部分で調整可能なエキスパンション・ジョイントを得ることを目的としている。                          
【課題を解決するための手段】
【００１２】
而して、本発明は、互いに対向する建物A、B間に設定されたクリアランスCを覆うため床面縁部に、それぞれ設けられた化粧縁材を有し、
該化粧縁材に、担持または載置されたクリアランスCを覆う化粧カバープレートを設け、
該化粧縁材と化粧カバープレートの召し合わせ部は、互いに斜め断面形状を有して当接、或いは対向しており、
前記クリアランスCが地震等により一時的に収縮すると化粧カバープレート斜め断面形状部の召し合わせ部は、化粧縁材の斜め断面形状部に当接して摺動し化粧カバープレートを上部に押し上げ地震等による急激な一時変形に追従可能なエキスパンション・ジョイントを提供した。
【００１３】
また、本発明は、互いに対向する建物A、B間に設定されたクリアランスCを覆うため床面縁部にそれぞれ設けられた化粧縁材を有し、
該化粧縁材に担持、または載置されたクリアランスCを覆う化粧カバープレートを設け、
該化粧縁材と化粧カバープレートの召し合わせ部は、互いに斜め断面形状を有して当接しており、
前記クリアランスCが地震等により一時的に収縮すると化粧カバープレートの斜め断面形状部の召し合わせ部は、化粧縁材の斜め断面形状部に当接して摺動し化粧カバープレートを上部に押し上げ地震等による急激な一時変形に追従可能なエキスパンション・ジョイントにおいて、
前記化粧カバープレートの斜め断面形状部は、化粧カバープレート本体との分割部品となし、該斜め断面形状部材は、化粧カバープレート本体に対してスプリング等の伸縮部材を介して伸縮自在に取り付けられており、地震の後や経年変化に依る少量のクリアランスCの変動には、前記スプリング等の伸縮により可動調整する構成とした。
【００１４】
本発明は、上記構成とすることにより、建物のA、Bの床間に設けられたクリアランスCにエキスパンション・ジョイントを設け、該エキスパンション・ジョイントは地震等の一時変形に対して簡単な機構でスムーズに追従可動でき、また、地震の後や、不等沈下等の経年変化による少量のクリアランスCの変動にも化粧縁材と化粧カバープレートの召し合わせ部分で調整可能なエキスパンション・ジョイントを得ることができた。
【発明の効果】
【００１５】
斯くして、本発明は、簡単な構成でクリアランスCの大きい免震用等のエキスパンション・ジョイントにも使用できる、エキスパンション・ジョイントの召し合わせ部可動調整機構を提供することができた。  
【００１６】
本発明は、特に床用エキスパンション・ジョイントに於いて、踏みしめた時の感触がいかにも薄板状の不安定な化粧カバープレートではなく、質感があり、建物本体部分を歩いているような感覚を得るために他の床面と同様に、石材またはタイル等を敷き詰めた大重量の化粧カバープレートを使用しても、該化粧カバープレートをしっかりと持設する安全構成のエキスパンション・ジョイントと、地震等の一時変形に対して、化粧カバープレートをスムーズに動かして揺れに追従できると共に、地震の後や、経年変化に依る少量のクリアランスCの変動にも、召し合わせ部の可動調整機構にて調整できる機能を備えたエキスパンション・ジョイントを提供することができた。
【発明を実施するための最良の形態】
【００１７】
以下本発明の実施例を図１乃至図６に基づき詳説する。
図１乃至図６は、本発明のエキスパンション・ジョイント、及びエキスパンション・ジョイントの化粧縁材と化粧カバープレートの召し合わせ部分を示すもので、図１は本発明のエキスパンションジョイントを示す断面図、図２及び図３は、召し合わせ部の可動調整機構の実施例を示す断面図、図４乃至図６は、図２及び図３にて示した実施例の動作説明図である。  
【００１８】
図１に於いて、互いに対向する建物A、B間の床面１、２は、クリアランスCを有しており、該クリアランスCを挟んで化粧縁材３と４が対向して設けられており、該化粧縁材３と４の上部には化粧カバープレート５が、装架され、エキスパンション・ジョイント６を構成している。前記化粧縁材３の断面形状部は斜め形状部７を有しており、該斜め形状部７には、化粧カバープレート５の斜め形状部８が、若干の間隙を有して対向しているか（図１の状態）、当接された状態で担持されている。
【００１９】
化粧カバープレート５はスチール、ステンレス等で型枠９を形成し、モルタルを介して石材やタイル等からなる床材１０を床化粧材として敷き詰めている。
【００２０】
而して、化粧カバープレート５の他端は、本実施例において、前記化粧縁材４に固着されたスプリング丁番１１を介して回動可能に保持されており、該スプリング丁番１１により、前記化粧カバープレート５の先端部側は、化粧縁材３の平坦縁部１２に常に押圧された状態で、床用エキスパンション・ジョイント６が形成されている。
【００２１】
尚、前記スプリング丁番１１は、化粧カバープレート５の長手方向に適宜にピッチを設定して複数個設けられているもので、この構成を採用することにより、本発明のエキスパンション・ジョイント６は、床用のみならず外壁や天井等にも利用することが可能である。  また、１３は、塩ビシートからなる止水補助シートを示しており、該止水補助シート１３の下部には必要に応じ耐火帯を設けることも可能である。  
【００２２】
斯くして、図１は、予め設定されたクリアランスCが地震等の一時的な変動で、クリアランスC１に収縮した場合、化粧カバープレート５の斜め形状部８が、化粧縁部３の斜め形状部７に当接した後、該斜め形状部７に沿って摺動して押し上げられ、化粧カバープレート５自体が想像線５’にて示す如く可動するので、化粧カバープレート５は片側が自由になり、大きな変動に対して追従可動でき、化粧カバープレート５自体や建物に損傷を与えない。
【実施例１】
【００２３】
上記エキスパンション・ジョイントに対して図２は、本発明のエキスパンションジョイントに使用されて効果を発揮する召し合わせ部分の可動調整機構を付加したもので、図２のA、Bは、互いに対向する建物、Cは前記建物A、B間に予め設定されて設けられたクリアランス、１、２は床面、３、４は化粧縁材、５は化粧カバープレート、７は前記化粧縁材３に設けられた斜め形状部、８は同様に化粧カバープレート５に設けられた斜め形状部、９は化粧カバープレートを形成する型枠、１０は石材やタイル等からなる床材、１１はスプリング丁番、１２は化粧縁材３に設けられた平坦縁部、１３は止水補助シートである。
【００２４】
図２において、上記化粧カバープレート５は化粧カバープレート本体１４と、前記斜め形状部８を保有する伸縮部材１５にそれぞれ分割さており、化粧カバープレート本体１４と伸縮部材１５は嵌合摺動部１６にそれぞれ嵌着され、コイルスプリング１７を介して一体化されている。
【００２５】
前記、化粧カバープレート本体１４と伸縮部材１５からなる、本実施例の化粧カバープレート５は、コイルスプリング１７によりその幅を任意に可変でき、化粧縁材３間に装架すると、前記化粧カバープレート５の斜め形状部８が、化粧縁材３の斜め形状部７に当接して丁度、化粧縁材３間に嵌着したように各、召し合わせ部１８に隙間なく装着される。
【００２６】
また、実施例１は化粧カバープレート本体１４の他端を図１と同様にスプリング丁番１１を介して化粧縁材４に回動可能に取付られていて、該化粧カバープレート本体１４及び伸縮部材１５は、スプリング丁番１１により、常に化粧縁材３の平坦縁部１２押圧されている。
【００２７】
尚、伸縮部材１５の化粧面は、チェッカープレートを用いることにより、滑り止め１９が施されている。  
【００２８】
斯くして、図２にて説明した実施例１は、図１にて説明したエキスパンション・ジョイントに簡単に組み込むことが出来、該実施例１は、地震等の大きな一時変形にも追従可動でき、該エキスパンション・ジョイントは、地震の後のクリアランスCの変動に対応する調整や、不同沈下等の経年に依る永久変形にも、前記化粧縁材３と化粧カバープレート５間のスプリングに依る可動調整で対応できる。
【実施例２】
【００２９】
図３に示す実施例は、左右対称となる床用エキスパンション・ジョイント６を一例として形成し、形状が同じで斜め形状部７を左右に有する化粧縁材３を床面１，２間設け、該床面１、２間に介在するクリアランスC間に化粧カバープレート５を装架させた構成を提供している。
【００３０】
図３において、前記図１及び図２と同一符号は、同一構成要素を示し、１、２は床面、３、４は化粧縁材、５は化粧カバープレート、７は前記化粧縁材３の両端に設けられた斜め形状部、８は該斜め形状部７に当接している化粧カバープレート５の斜め形状部である。
【００３１】
而して、化粧カバープレート５は化粧カバープレート本体１４と、前記斜め形状部８を保有する伸縮部材１５にそれぞれ分割さており、化粧カバープレート本体１４と伸縮部材１５は嵌合摺動部１６にそれぞれ嵌着され、コイルスプリング１７を介して一体化されている。
【００３２】
前記、化粧カバープレート本体１４と伸縮部材１５からなる本実施例２の化粧カバープレート５は、コイルスプリング１７によりその幅を任意に可変でき、化粧縁材３、４間に装架すると、前記化粧カバープレート本体１４の斜め形状部８が、化粧縁材の斜め形状部７に当接して丁度、化粧縁材３、４間に嵌着したように各召し合わせ部１８に隙間なく装着される。
【００３３】
化粧カバープレート５は床用の場合、石材やタイルを敷き詰めた構成をしているため相当重いが、本発明の実施例に於いても化粧カバープレートは、引っ張りコイルバネ（図示せず）等により常に下方向に引っ張る構成を具備している。
【００３４】
斯くして本発明の実施例２においては、地震等一時的に大きなクリアランスCの収縮が有ると化粧カバープレート本体１４は両端に設けられた伸縮部材１５の斜め形状部８が化粧縁材３の斜め形状部７を摺動して上部に持ち上がり、地震等の一時的な大きな変形に追従可動する。
【００３５】
そして、伸縮部材１５は、地震の後のクリアランスCの変動に対応する調整や、不同沈下等の経年に依る永久変形にも、前記コイルスプリング１７の働きで可動調整できる。
【００３６】
斯くして図４乃至図６は、上記実施例１、２の可動調整の動作を説明するもので、図４は図２、および図３の拡大要部断面図でクリアランスCを設定して取り付けた通常時の状況を示し、図５はクリアランスCがC１と収縮した時の状態を示している。
図６は図５とは、反対にクリアランスがC２と膨張した状態示しており、本発明の実施例においては、クリアランスCの収縮みならず膨張にも対応できることがわかる。
【００３７】
斯くして、本発明は、互いに対向する建物A、B間に設定されたクリアランスCを覆うため床面縁部にそれぞれ設けられた化粧縁材３、４を有し、
該化粧縁材３、４に担持され、または載置されたクリアランスCを覆う化粧カバープレート５を設け、
該化粧縁材３と化粧カバープレート５の召し合わせ部１８は互いに斜め断面形状部７、８を有して当接しており、
前記クリアランスCが地震等により一時的に大きく収縮すると化粧カバープレート５の斜め断面形状部８の召し合わせ部が、化粧縁材３の斜め断面形状部７に当接して摺動し、化粧カバープレート５を上部に押し上げ地震等による急激な一時変形に追従可能で、
該地震の後や経年変化による少量のクリアランスCの変動に対しては伸縮自在なコイルスプリング１７を介して前記化粧縁材間の幅を可変可能に構成して前記化粧カバープレート５の破損を防止できるよう構成した。
【００３８】
また、本発明は。互いに対向する建物A、B間に設定されたクリアランスCを覆うため床面縁部にそれぞれ設けられた化粧縁材３を有し、
該化粧縁材３間に担持され、または載置されたクリアランスCを覆う化粧カバープレート５を設け、
該化粧縁材３と化粧カバープレート５の召し合わせ部は互いに斜め断面形状部７、８を有して当接しており、
前記クリアランスCが地震等により一時的に収縮すると、化粧カバープレート５の斜め断面形状部８の召し合わせ部は、化粧縁材３の斜め断面形状部７に当接して摺動し化粧カバープレート５を上部に押し上げ地震等による急激な一時変形に追従可能なエキスパンション・ジョイントに於いて、
前記化粧カバープレート５の斜め断面形状部８は化粧カバープレート本体１４と分割部品となし、該斜め断面形状部材８は化粧カバープレート本体１４に対してコイルスプリング１７等の伸縮部材１５を介して伸縮自在に取り付けられており、地震の後や経年変化に依る少量のクリアランスCの変動には前記スプリング１７の伸縮により対応する構成を提供することができた。    
【図面の簡単な説明】
【００３９】
【図１】本発明を説明する断面図である。
【図２】本発明の実施例１を示す断面説明図である。
【図３】本発明の実施例２を示す断面説明図である。
【図４】図２及び図３の部分拡大図である。
【図５】図４の動作説明図である。
【図６】図４の動作説明図である。
【符号の説明】
【００４０】
A  建物
B  建物
C  エキスパンション・ジョイントのクリアランス
１  床面
２  床面
３  化粧縁材
４  化粧縁材
５  化粧カバープレート
６  エキスパンション・ジョイント
７  化粧縁材の斜め形状部  
８  化粧カバープレートの斜め形状部
９  型枠
１０  床材
１１  スプリング丁番
１２  平坦縁部
１３  止水補助シート
１４  化粧カバープレート本体
１５  伸縮部材
１６  嵌合摺動部
１７  コイルスプリング
１８  召し合わせ部
１９  滑り止め
【図１】
2005048491.tif 000003
【図２】
2005048491.tif 000004
【図３】
2005048491.tif 000005
【図４】
2005048491.tif 000006
【図５】
2005048491.tif 000007
【図６】
2005048491.tif 000008